(57)【特許請求の範囲】
【請求項１】
一端がガスコンセントと着脱自在に接続されたガスホースの他端と接続された接続口と、該接続口とガス供給管を介して接続されたバーナと、該ガス供給管を開閉する開閉弁と、該バーナの点火を行なう点火手段と、該バーナの燃焼状態を検出する燃焼状態検出手段と、
前記点火手段により前記バーナに点火された後、前記燃焼状態検出手段により前記バーナの失火が検知されたときに、前記開閉弁を閉弁して異常報知を行なう失火対処処理を実行する失火対処手段とを備えたガス燃焼装置において、
前記燃焼状態検出手段であって前記バーナの付近に設けられた熱電対と、
前記点火手段により前記バーナに点火されて前記熱電対の出力電圧が所定の着火検知レベルまで上昇した後、所定時間内に、該熱電対の出力電圧が所定レベル低下したとき又は該熱電対の出力電圧が所定の基準変化率よりも大きい変化率で低下したときに、使用者が前記ガスホースを前記ガスコンセントから抜き差しすることによって前記ガスホース内に空気が流入し、前記ガスホース内の燃料ガスの濃度が前記接続口付近と前記ガスコンセント付近で高く両者の中間付近で低くなったエア噛み状態で前記バーナが点火された後に、濃度の低い燃料ガスが前記バーナに供給されて前記バーナの失火が生じたことを検知するエア噛み失火検知手段と、
前記所定時間を燃料ガスの種類に応じて変更する所定時間変更手段と、
前記エア噛み失火検知手段により前記バーナの失火が検知されたときに、前記失火対処手段による前記失火対処処理を禁止して、前記点火手段により前記バーナを再点火する再点火手段とを備えたことを特徴とするガス燃焼装置。
【請求項２】
一端がガスコンセントと着脱自在に接続されたガスホースの他端と接続された接続口と、該接続口とガス供給管を介して接続されたバーナと、該ガス供給管を開閉する開閉弁と、該バーナの点火を行なう点火手段と、該バーナの燃焼状態を検出する燃焼状態検出手段と、
前記点火手段により前記バーナに点火された後、前記燃焼状態検出手段により前記バーナの失火が検知されたときに、前記開閉弁を閉弁して異常報知を行なう失火対処処理を実行する失火対処手段とを備えたガス燃焼装置において、
前記燃焼状態検出手段であって前記バーナの付近に設けられたフレームロッドと、
前記点火手段により前記バーナに点火されて前記フレームロッドの通電量が所定の着火検知レベルまで上昇した後、所定時間内に、該フレームロッドの通電量が所定レベル低下したとき又は該フレームロッドの通電量が所定の基準変化率よりも大きい変化率で低下したときに、使用者が前記ガスホースを前記ガスコンセントから抜き差しすることによって前記ガスホース内に空気が流入し、前記ガスホース内の燃料ガスの濃度が前記接続口付近と前記ガスコンセント付近で高く両者の中間付近で低くなったエア噛み状態で前記バーナが点火された後に、濃度の低い燃料ガスが前記バーナに供給されて前記バーナの失火が生じたことを検知するエア噛み失火検知手段と、
前記所定時間を燃料ガスの種類に応じて変更する所定時間変更手段と、
前記エア噛み失火検知手段により前記バーナの失火が検知されたときに、前記失火対処手段による前記失火対処処理を禁止して、前記点火手段により前記バーナを再点火する再点火手段とを備えたことを特徴とするガス燃焼装置。
【請求項３】
一端がガスコンセントと着脱自在に接続されたガスホースの他端と接続される接続口と、該接続口とガス供給管を介して接続されたバーナと、該ガス供給管を開閉する開閉弁と、該バーナの点火を行なう点火手段と、該バーナの燃焼状態を検出する燃焼状態検出手段と、
前記点火手段により前記バーナに点火された後、前記燃焼状態検出手段により前記バーナの失火が検知されたときに、前記開閉弁を閉弁して異常報知を行なう失火対処手段とを備えたガス燃焼装置において、
前記バーナは筐体内に配置され、該筐体の温度を検出する筐体温度検出手段と、前記バーナの燃焼中に前記バーナの燃焼中に該筐体温度検出手段の検出温度が所定の異常温度以上となったときに前記バーナの燃焼を停止する過熱停止手段と、
前記点火手段により前記バーナに点火された後、前記筐体温度検出手段の検出温度が上昇から低下に転じて所定温度低下したとき、又は前記筐体温度検出手段の検出温度が上昇から低下に転じて所定の基準変化率よりも大きい変化率で低下したときに、使用者が前記ガスホースを前記ガスコンセントから抜き差しすることによって前記ガスホース内に空気が流入し、前記ガスホース内の燃料ガスの濃度が前記接続口付近と前記ガスコンセント付近で高く両者の中間付近で低くなったエア噛み状態で前記バーナが点火された後に、濃度の低い燃料ガスが前記バーナに供給されて該バーナの失火が生じたことを検知するエア噛み失火検知手段と、
該エア噛み失火検知手段により前記バーナの失火が検知されたときに、前記失火対処手段による前記異常報知を禁止する異常報知禁止手段とを備えたことを特徴とするガス燃焼装置。
【請求項４】
一端がガスコンセントと着脱自在に接続されたガスホースの他端と接続される接続口と、該接続口とガス供給管を介して接続されたバーナと、該ガス供給管を開閉する開閉弁と、該バーナの点火を行なう点火手段と、該バーナの燃焼状態を検出する燃焼状態検出手段と、
前記点火手段により前記バーナに点火された後、前記燃焼状態検出手段により前記バーナの失火が検知されたときに、前記開閉弁を閉弁して異常報知を行なう失火対処処理を実行する失火対処手段とを備えたガス燃焼装置において、
前記バーナは筐体内に配置され、該筐体の温度を検出する筐体温度検出手段と、前記バーナの燃焼中に前記バーナの燃焼中に該筐体温度検出手段の検出温度が所定の異常温度以上となったときに前記バーナの燃焼を停止する過熱停止手段と、
前記点火手段により前記バーナに点火された後、前記筐体温度検出手段の検出温度が上昇から低下に転じて所定温度低下したとき、又は前記筐体温度検出手段の検出温度が上昇から低下に転じて所定の基準変化率よりも大きい変化率で低下したときに、使用者が前記ガスホースを前記ガスコンセントから抜き差しすることによって前記ガスホース内に空気が流入し、前記ガスホース内の燃料ガスの濃度が前記接続口付近と前記ガスコンセント付近で高く両者の中間付近で低くなったエア噛み状態で前記バーナが点火された後に、濃度の低い燃料ガスが前記バーナに供給されて該バーナの失火が生じたことを検知するエア噛み失火検知手段と、
該エア噛み失火検知手段により前記バーナの失火が検知されたときに、前記失火対処手段による前記失火対処処理を禁止して、前記点火手段により前記バーナを再点火する再点火手段とを備えたことを特徴とするガス燃焼装置。
【発明の詳細な説明】
【０００１】
【発明の属する技術分野】
本発明は、ガスコンセントと着脱自在に接続されたガスホースを介して燃料ガスが供給されるガス燃焼装置におけるバーナの失火処理に関する。
【０００２】
【従来の技術】
従来より、ガス温風暖房機やガスストーブ等のバーナにより燃料ガスを燃焼させるガス燃焼装置においては、バーナの燃焼状態を検出するセンサが設けられ、該バーナに点火されて燃焼運転が開始された後に該センサにより該バーナの失火が検知されたときに、バーナへの燃料ガスの供給を停止して使用者に装置に異常が生じたことを報知するようにしていた。
【０００３】
ここで、燃焼運転中にバーナが失火するのは、例えば燃焼用空気の取り入れ口に装着されたエアフィルタが閉塞して燃焼用空気の供給量が不足した場合のように、ガス燃焼装置に何らかの異常が生じたときである。そこで、バーナの失火が検知されたときに、上述したように報知を行なうことにより、使用者に対してガス燃焼装置の異常を解消するための処理を行なうことを促すことができる。
【０００４】
しかし、本願発明者らは、ガスコンセントと着脱自在に接続されたガスホースを介して燃料ガスが供給されるガス燃焼装置においては、該ガス燃焼装置自体に異常が生じていない場合であってもバーナの失火が生じ得ることを知見した。そして、このようにガス燃焼装置自体の異常以外の要因によってバーナが失火したときに異常の報知を行なうと、使用者はバーナの失火が生じた原因がわからないため、使用者に不安感を抱かせてしまうという不都合がある。
【０００５】
【発明が解決しようとする課題】
本発明は、上記不都合を解消し、ガス燃焼装置の異常が生じていない状態でバーナの失火が生じたときは、異常報知を行なわないようにしたガス燃焼装置を提供することを目的とする。
【０００６】
【課題を解決するための手段】
本発明は上記目的を達成するためになされたものであり、一端がガスコンセントと着脱自在に接続されたガスホースの他端と接続された接続口と、該接続口とガス供給管を介して接続されたバーナと、該ガス供給管を開閉する開閉弁と、該バーナの点火を行なう点火手段と、該バーナの燃焼状態を検出する燃焼状態検出手段と、前記点火手段により前記バーナに点火された後、前記燃焼状態検出手段により前記バーナの失火が検知されたときに、前記開閉弁を閉弁して異常報知を行なう失火対処処理を実行する失火対処手段とを備えたガス燃焼装置の改良に関する。
【０００９】
そして、本発明の第１の態様は、前記燃焼状態検出手段であって前記バーナの付近に設けられた熱電対と、前記点火手段により前記バーナに点火されて前記熱電対の出力電圧が所定の着火検知レベルまで上昇した後、所定時間内に、該熱電対の出力電圧が所定レベル低下したとき又は該熱電対の出力電圧が所定の基準変化率よりも大きい変化率で低下したときに、使用者が前記ガスホースを前記ガスコンセントから抜き差しすることによって前記ガスホース内に空気が流入し、前記ガスホース内の燃料ガスの濃度が前記接続口付近と前記ガスコンセント付近で高く両者の中間付近で低くなったエア噛み状態で前記バーナが点火された後に、濃度の低い燃料ガスが前記バーナに供給されて前記バーナの失火が生じたことを検知するエア噛み失火検知手段と、前記所定時間を燃料ガスの種類に応じて変更する所定時間変更手段と、前記エア噛み失火検知手段により前記バーナの失火が検知されたときに、前記失火対処手段による前記失火対処処理を禁止して、前記点火手段により前記バーナを再点火する再点火手段とを備えたことを特徴とする。
【００１０】
かかる本発明によれば、前記エア噛み失火検知手段は、前記熱電対の出力電圧が前記着火検知レベルまで上昇した後、前記所定時間内に、該熱電対の出力電圧が前記所定レベル低下したとき又は前記熱電対の出力電圧が前記基準変化率よりも大きい変化率で低下したときには、前記バーナが一旦着火した直後に失火したと想定できることから、前記エア噛み状態で前記バーナが点火された後に該バーナが失火したと判断することができる。そして、前記エア噛み検知手段により前記バーナの失火が検知されたときに、前記再点火手段により前記バーナが再点火される。そのため、使用者は前記エア噛み状態に起因して前記バーナが失火したときに前記バーナを再点火する処理を行なう必要がなく、使用者の使い勝手が向上する。また、燃料ガスの種類により、前記バーナの燃焼に必要な燃料ガスの供給量が異なるため、前記バーナが着火してから失火するまでに要する時間も相違する。そこで、前記所定時間を燃料ガスの種類に応じて変更する前期所定時間変更手段を備えることにより、燃料ガスの種類ごとに前記所定時間を適切に設定することができる。
【００１９】
また、本発明の第２の態様は、前記燃焼状態検出手段であって前記バーナの付近に設けられたフレームロッドと、前記点火手段により前記バーナに点火されて前記フレームロッドの通電量が所定の着火検知レベルまで上昇した後、所定時間内に、該フレームロッドの通電量が所定レベル低下したとき又は該フレームロッドの通電量が所定の基準変化率よりも大きい変化率で低下したときに、使用者が前記ガスホースを前記ガスコンセントから抜き差しすることによって前記ガスホース内に空気が流入し、前記ガスホース内の燃料ガスの濃度が前記接続口付近と前記ガスコンセント付近で高く両者の中間付近で低くなったエア噛み状態で前記バーナが点火された後に、濃度の低い燃料ガスが前記バーナに供給されて前記バーナの失火が生じたことを検知するエア噛み失火検知手段と、前記所定時間を燃料ガスの種類に応じて変更する所定時間変更手段と、前記エア噛み失火検知手段により前記バーナの失火が検知されたときに、前記失火対処手段による前記失火対処処理を禁止して、前記点火手段により前記バーナを再点火する再点火手段とを備えたことを特徴とする。
【００２０】
かかる本発明によれば、前記エア噛み失火検知手段は、前記フレームロッドの通電量が前記着火検知レベルまで上昇した後、前記所定時間内に、該フレームロッドの通電量が前記所定レベル低下したとき又は該フレームロッドの通電量が前記基準変化率よりも大きい変化率で低下したときには、前記バーナが一旦着火した直後に失火したと想定できることから、前記エア噛み状態で前記バーナが点火された後に該バーナが失火したと判断することができる。そして、前記第１の態様と同様に、前記再点火手段を備えることにより、使用者は前記エア噛み状態に起因して前記バーナが失火したときに前記バーナを再点火する処理を行なう必要がなく、使用者の使い勝手が向上する。また、燃料ガスの種類により、前記バーナの燃焼に必要な燃料ガスの供給量が異なるため、前記バーナが着火してから失火するまでに要する時間も相違する。そこで、前記所定時間を燃料ガスの種類に応じて変更する前期所定時間変更手段を備えることにより、燃料ガスの種類ごとに前記所定時間を適切に設定することができる。
【００２２】
また、本発明の第３の態様は、前記バーナは筐体内に配置され、該筐体の温度を検出する筐体温度検出手段と、前記バーナの燃焼中に前記バーナの燃焼中に該筐体温度検出手段の検出温度が所定の異常温度以上となったときに前記バーナの燃焼を停止する過熱停止手段と、前記点火手段により前記バーナに点火された後、前記筐体温度検出手段の検出温度が上昇から低下に転じて所定温度低下したとき、又は前記筐体温度検出手段の検出温度が上昇から低下に転じて所定の基準変化率よりも大きい変化率で低下したときに、使用者が前記ガスホースを前記ガスコンセントから抜き差しすることによって前記ガスホース内に空気が流入し、前記ガスホース内の燃料ガスの濃度が前記接続口付近と前記ガスコンセント付近で高く両者の中間付近で低くなったエア噛み状態で前記バーナが点火された後に、濃度の低い燃料ガスが前記バーナに供給されて該バーナの失火が生じたことを検知するエア噛み失火検知手段と、該エア噛み失火検知手段により前記バーナの失火が検知されたときに、前記失火対処手段による前記異常報知を禁止する異常報知禁止手段とを備えたことを特徴とする。
【００２３】
かかる本発明によれば、前記エア噛み状態で前記バーナに点火されると、前記筐体温度検出手段の検出温度は前記バーナの燃焼により前記筐体が加熱されるに従って上昇し、前記バーナが失火すると該検出温度は低下する。そこで、前記エア噛み検知手段は、前記筐体温度検出手段の検出温度が上昇から低下に転じて前記所定温度低下したとき、又は前記筐体温度検出手段の検出温度が上昇から低下に転じて前記基準変化率よりも大きい変化率で低下したときに、前記エア噛み状態で前記バーナが点火されて該バーナの失火が生じたと判断することができる。そして、前記異常報知禁止手段を備えることにより、前記ガス燃焼装置に異常が生じていないにも拘わらず異常報知がなされ、使用者に不安感を抱かせることを防止することできる。
【００２４】
また、本発明の第４の態様は、前記バーナは筐体内に配置され、該筐体の温度を検出する筐体温度検出手段と、前記バーナの燃焼中に前記バーナの燃焼中に該筐体温度検出手段の検出温度が所定の異常温度以上となったときに前記バーナの燃焼を停止する過熱停止手段と、前記点火手段により前記バーナに点火された後、前記筐体温度検出手段の検出温度が上昇から低下に転じて所定温度低下したとき、又は前記筐体温度検出手段の検出温度が上昇から低下に転じて所定の基準変化率よりも大きい変化率で低下したときに、使用者が前記ガスホースを前記ガスコンセントから抜き差しすることによって前記ガスホース内に空気が流入し、前記ガスホース内の燃料ガスの濃度が前記接続口付近と前記ガスコンセント付近で高く両者の中間付近で低くなったエア噛み状態で前記バーナが点火された後に、濃度の低い燃料ガスが前記バーナに供給されて該バーナの失火が生じたことを検知するエア噛み失火検知手段と、該エア噛み失火検知手段により前記バーナの失火が検知されたときに、前記失火対処手段による前記失火対処処理を禁止して、前記点火手段により前記バーナを再点火する再点火手段とを備えたことを特徴とする。
【００２５】
かかる本発明によれば、前記エア噛み状態で前記バーナに点火されると、前記筐体温度検出手段の検出温度は前記バーナの燃焼により前記筐体が加熱されるに従って上昇し、前記バーナが失火すると該検出温度は低下する。そこで、前記エア噛み検知手段は、前記筐体温度検出手段の検出温度が上昇から低下に転じて前記所定温度低下したとき、又は前記筐体温度検出手段の検出温度が上昇から低下に転じて前記基準変化率よりも大きい変化率で低下したときに、前記エア噛み状態で前記バーナが点火されて該バーナの失火が生じたと判断することができる。そして、前記第１の態様と同様に、前記再点火手段を備えることにより、使用者は前記エア噛み状態に起因して前記バーナが失火したときに前記バーナを再点火する処理を行なう必要がなく、使用者の使い勝手が向上する。
【００２６】
【発明の実施の形態】
本発明の実施の形態の一例について図１〜図５を参照して説明する。図１は本発明のガス燃焼装置である温風暖房機の全体構成図、図２は図１に示した温風暖房機の制御ブロック図、図３はエア噛み状態に起因してバーナが失火したことを検知する方法を説明するためのグラフ、図４〜図５はエア噛み状態で運転スイッチが操作されたときの温風暖房機の作動を示したフローチャートである。
【００２７】
図１を参照して、本実施の形態の温風暖房機は室内で使用されるものであり、本体ケース１内に、ダクト２、送風ファン３（本発明の空気供給ファン及び送風ファンの機能を含む）、バーナ４、ガス供給管５、及びコントローラ６を備え、本体ケース１の外面に操作パネル７を備えている。
【００２８】
ダクト２は温風の送風路を構成するものであり、室内空気ｓを取り込むための吸気口８を本体ケース１の背面に開口し、本体ケース１の前面下部において温風の吹出口９を開口している。吸気口８には塵や埃がダクト２内に流入するのを防ぐためにエアフィルタ（図示しない）が取付けられており、吸気口８の付近に室内空気ｓの温度を室温として検出し、検出信号をコントローラ６に出力する室温センサ１０が取付けられている。
【００２９】
送風ファン３はファンモータ１１により回転駆動され、吸気口８からダクト２内に室内空気ｓを吸引してダクト２内に組み込まれたバーナ４の燃焼排気と混合し、混合空気を温風ｍとして吹出口９から室内に送出する。ファンモータ１１にはその回転数を検出する回転数センサ１２が設けられ、回転数センサ１２はファンモータ１１の回転数の検出信号をコントローラ６に出力する。
【００３０】
ダクト２内に組み込まれたバーナ４は、燃焼胴１３（本発明の燃焼室を形成する）内に燃焼プレート１４を備え、バーナ４の燃焼排気が燃焼胴１３からダクト２内に排出される。また、燃焼プレート１４の近傍には、燃焼用空気と燃料ガスとの混合気に点火するための点火電極１５と、バーナ４の燃焼状態を検出するための熱電対１６（本発明の燃焼状態検出手段に相当する）とが設けられている。熱電対１６は、バーナ４の燃焼炎に晒されたときに燃焼炎の温度に応じた熱起電力を発生し、該熱起電力をコントローラ６に出力する。
【００３１】
バーナ４には、ガス供給管５の先端に取付けられたノズル１７から噴出される燃料ガスと、送風ファン３の回転により吸気口８から取り込まれた燃焼用空気とが混合されて供給される。ガス供給管５には、上流側から、電磁弁１８，１９（本発明の開閉弁に相当する）及びガス比例弁２０（本発明の燃料供給量調節手段に相当する）が設けられている。
【００３２】
電磁弁１８，１９はコントローラ６からの通電により開弁するものであり、開弁状態ではガス供給管５を開けて燃料ガスをノズル１７に通過させ、通電が遮断された閉弁状態ではガス供給管５を閉じて燃料ガスの通過を遮断する。また、ガス比例弁２０は、コントローラ６からの通電量に比例してその開度が増大するものであり、コントローラ６はガス比例弁２０の開度を通電制御してバーナ４への燃料ガスの供給量を調節する。
【００３３】
また、ガス供給管５は、その先端の接続口３０によりガスホース３１の一端と接続され、ガスホース３１の他端は室内の壁面等に設けられたワンタッチ式のガスコンセント３２と着脱自在に接続されている。
【００３４】
操作パネル７には、暖房運転の開始／停止を指示するための運転スイッチ２１、タイマ運転における暖房開始時刻を設定するためのタイマスイッチ２３、目標暖房温度の設定を変更するための温度（＋）スイッチ２４及び温度（−）スイッチ２５等のスイッチ類が配設され、また、運転状況等を表示するための表示器２６とブザー２７が配設されている。
【００３５】
次に、図２を参照して、コントローラ６はマイクロコンピュータ等を用いて構成された電子ユニットであり、燃焼制御手段４０、失火対処手段４１、エア噛み失火検知手段４２、再点火手段４３、データメモリ４４、及びガス種設定スイッチ４５を備えている。
【００３６】
データメモリ４４には、目標暖房温度と室温センサ１０の検出温度との差に応じてバーナ４の必要燃焼量を決定するために使用されるガス比例弁２０への通電量とガス比例弁２０の２次圧（燃料ガスの供給量に比例する）との関係を示すデータテーブルが、複数の燃料ガスの種類ごとに記憶されている。
【００３７】
そして、燃焼制御手段４０は、ガス種設定スイッチ４５により選択された燃料ガスの種類に応じた前記データテーブルを使用してガス比例弁２０に出力する通電量を決定し、バーナ４の燃焼制御を行なう。
【００３８】
また、失火対処手段４１は、暖房運転中に熱電対１６の出力電圧を監視し、熱電対１６の出力電圧が所定の失火検知レベル以下に低下したときに、電磁弁１８，１９を閉弁して燃料ガスの供給を停止すると共にブザー２７及び表示器２６により異常の報知を行なう。これにより、失火対処手段４１は、例えば吸気口８の閉塞等の異常が生じてバーナ４が失火したときに、バーナ４への燃料ガスの供給を停止して、使用者に温風暖房機の異常が生じたことを知らせるようにしている。
【００３９】
また、エア噛み失火検知手段４２は、図１を参照して、例えば室内を清掃する際に、使用者がガスホース３１をガスコンセント３２から抜き差ししたことによって、ガスホース３１内の接続口３０付近とガスコンセント３２付近に濃度が高い燃料ガスが滞留し、その間に挟まれたガスホース３１の中間部分に濃度が低い燃料ガスが滞留したエア噛み状態となり、このエア噛み状態で暖房運転が開始されてバーナ４の失火が生じたことを検知するものである。
【００４０】
エア噛み状態で暖房運転が開始されると、先ず、接続口３０付近に滞留していた濃度が高い燃料ガスがバーナ４に供給されてバーナ４が着火する。しかし、濃度が高い燃料ガスに続いてガスホース３１の中間部分に滞留していた濃度が低い燃料ガスがバーナ４に供給されるため、バーナ４は失火する。
【００４１】
そこで、エア噛み失火検知手段４２は、バーナ４の点火処理がなされたときに熱電対１６の出力電圧の推移を監視することによって、エア噛み状態でバーナ４が着火された後に濃度が低い燃料ガスがバーナ４に供給されてバーナ４が失火したことを検知する。
【００４２】
図３は、エア噛み状態でバーナ４が着火されたときの熱電対１６の出力電圧の推移を示したグラフであり、横軸が時間（ｔ）、縦軸が熱電対１６の出力電圧（ＶTC）である。バーナ４が着火すると（時刻ｔ10）、バーナ４の燃焼炎に晒されて熱電対１６の温度が上がるため、それに応じて熱電対１６の出力電圧が上昇する。そして、着火検知レベル（ＶB）を超えて（時刻ｔ11）上昇するが、ガスホース３１に滞留していた濃度が低い燃料ガスが供給され始めるとバーナ４は失火し、熱電対１６の出力電圧は上昇から下降に転じる（時刻ｔ12）。
【００４３】
そこで、エア噛み失火検知手段４２は、バーナ４に点火されて熱電対１６の出力電圧が着火検知レベル（ＶB）に達して（ｔ11）から所定時間内に所定レベル（Ｖα）低下したときに（ｔ13）、エア噛み状態でバーナ４に点火されてバーナ４の失火が生じたことを検知する。なお、前記所定時間は、ガス種設定スイッチ４５（本発明の所定時間変更手段の機能を含む）により設定された燃料ガスの種類に応じて変更される。
【００４４】
そして、このように、エア噛み状態でバーナ４に点火されてバーナ４が失火した場合に、失火対処手段４１によって上述したように異常報知を行なうと、実際には温風暖房機に異常は生じていないため、使用者を混乱させてしまう。その上、使用者は再度運転スイッチ２１を操作して暖房運転の開始を指示しなければならないという煩わしさもある。
【００４５】
そこで、再点火手段４３は、エア噛み失火検知手段４２により、エア噛み状態でバーナ４に点火されてバーナ４の失火が生じたことが検知されたときは、失火対処手段４１による電磁弁１８，１９の閉弁と、表示器２６及びブザー２７による失火エラーの報知を禁止して、バーナ４の再点火を行なう。以下、図４〜図５に示したフローチャートに従って、エア噛み状態で使用者が運転スイッチ２１をＯＮ操作したときの温風暖房機の作動について説明する。
【００４６】
図４を参照して、使用者が運転スイッチ２１をＯＮ操作して暖房運転の開始を指示すると、ＳＴＥＰ１からＳＴＥＰ２に進み、コントローラ６はバーナ２の点火処理を行なう。すなわち、ＳＴＥＰ２で着火検知タイマをスタートし、ＳＴＥＰ３でファンモータ１１をＯＮし、ＳＴＥＰ４で点火電極１５をＯＮして火花放電を生じさせた状態で、ＳＴＥＰ５で電磁弁１８，１９及びガス比例弁２０を開弁する。
【００４７】
そして、コントローラ６は、ＳＴＥＰ７で着火検知タイマのタイムアップの有無を確認しながらＳＴＥＰ６で熱電対１６の出力電圧（ＶTC）が着火検知レベル（ＶB）以上となるのを待つ。
【００４８】
ＳＴＥＰ６で熱電対１６の出力電圧（ＶTC）が着火検知レベル（ＶB）以上となったときはＳＴＥＰ２０に分岐し、コントローラ６は点火電極１５をＯＦＦして点火処理を終了し、図５のＳＴＥＰ２１に進む。一方、ＳＴＥＰ６で熱電対１６の出力電圧（ＶTC）が着火検知レベル（ＶB）以上となったことが検知されずに、ＳＴＥＰ７で着火検知タイマがタイムアップしたときには、バーナ４の着火に失敗したと判断されてＳＴＥＰ８に進み、失火対処手段４１により、ＳＴＥＰ８で電磁弁１８，１９及びガス比例弁２０が閉弁され、ＳＴＥＰ９で送風ファンがＯＦＦされ、ＳＴＥＰ１０でブザー２７と表示器２６により異常報知がなされる。
【００４９】
図５のＳＴＥＰ２１〜ＳＴＥＰ２３はエア噛み失火検知手段４２による処理である。エア噛み失火検知手段４２は、ＳＴＥＰ２１でエア噛みタイマをスタートし、ＳＴＥＰ２３で該エア噛みタイマのタイムアップの有無を確認しながら、ＳＴＥＰ２２で熱電対１６の出力電圧ＶTCがＶα低下したか否かを監視する。そして、熱電対１６の出力電圧ＶTCがＶα低下したときは、エア噛み失火検知手段４２は、上述したようにエア噛み状態でバーナ４が着火して失火が生じたと検知してＳＴＥＰ３０に分岐する。
【００５０】
ＳＴＥＰ３０〜ＳＴＥＰ３２は再点火手段４３による処理であり、再点火手段４３は、ＳＴＥＰ３０で電磁弁１８，１９とガス比例弁２０を閉弁し、ＳＴＥＰ３１で送風ファン３により燃焼胴１３内をプリパージして、ＳＴＥＰ３２でバーナ４の再点火処理を行なう。この場合、失火対処手段４１による異常報知は行なわれない（禁止される）ので、使用者に混乱を与えることはなく、また、自動的に再点火処理が行なわれるので、使用者は再度運転スイッチ２１を操作して暖房運転の開始を指示する必要がない。
【００５１】
また、ＳＴＥＰ２２で熱電対１６の出力電圧ＶTCがＶα低下せずに、ＳＴＥＰ２３でエア噛みタイマがタイムアップしたときは、エア噛み状態ではなかったと判断できるので、ＳＴＥＰ２４に進んでコントローラ６は暖房運転を開始する。
【００５２】
なお、本実施の形態では、図５に示したように、エア噛み状態でバーナ４に着火されてバーナ４の失火が生じたことが検知されたときに、一旦電磁弁１８，１９とガス比例弁２０を閉弁してプリパージを行なってからバーナ４の再点火を行なったが（ＳＴＥＰ３０〜ＳＴＥＰ３２）、電磁弁１８，１９及びガス比例弁２０を開弁状態に維持し、プリパージを行なわずにバーナ４の再点火処理を行なうようにしてもよい。この場合には、バーナ４が失火してから再点火されるまでに要する時間を短くすることができる。さらにこの場合、ガス比例弁の開度を大きくしてもよく、これにより、ガスホース３１内に滞留した濃度の低い燃料ガスをより速くバーナ４から排出することができるため、バーナ４が失火してから再点火されるまでに要する時間をさらに短縮することができる。
【００５３】
また、本実施の形態では、図３に示したように、エア噛み失火検知手段４２は、熱電対１５の出力電圧（ＶTC）が所定レベル（Ｖα）低下したときに、エア噛み状態でバーナ４が着火されて失火したと検知したが、図６に示したように、熱電対１５の出力電圧（ＶTC）が所定の基準変化率よりも大きい変化率で下降したとき（ΔＶTC／Δｔ＞基準変化率）に、エア噛み状態でバーナ４に着火されて失火が生じたと検知してもよい。
【００５４】
また、本実施の形態では、熱電対１５の出力電圧（ＶTC）を監視してエア噛み状態でバーナ４に着火されて失火が生じたことを検知したが、温風暖房機から送出される温風ｍ（図１参照）の温度を検出する温風温度センサ５０（図１、図２参照、本発明の温風温度検出手段に相当する）を設け、該温風温度センサ５０の検出温度を監視してエア噛み状態でバーナ４に着火されて失火が生じたことを検知するようにしてもよい。
【００５５】
図７の▲１▼は、エア噛み状態でバーナ４が着火された場合の温風温度センサ５０の検出温度の推移を示したグラフであり、縦軸は温風温度センサ５０の検出温度、横軸が時間である。接続口３０付近に滞留していた濃度の高い燃料ガスによりバーナ４に着火されると（時刻ｔ30）、温風ｍの温度が次第に上昇して温風温度センサの検出温度が上昇する。そして、ガスホース３１の中間部付近に滞留していた濃度の低い燃焼ガスがバーナ４に供給されてバーナ４が失火すると、温風ｍの温度は下降し始める。
【００５６】
そこで、エア噛み失火検知手段４２は、バーナ４が着火された後の温風温度センサ５０の検出温度を監視し、該検出温度が上昇から低下に転じてから（時刻ｔ31）Ｔα（本発明の所定温度に相当する）低下したとき（時刻ｔ32）に、エア噛み状態でバーナ４に着火されてバーナ４の失火が生じたと判断するようにしてもよい。さらに、温風温度センサ５０の検出温度が上昇から下降に転じてから該検出温度が所定の基準変化率よりも大きい変化率で低下したときに、エア噛み状態でバーナ４に着火されて失火が生じたと判断してもよい。
【００５７】
また、本実施の形態では、エア噛み失火検知手段４２により、エア噛み状態でバーナ４に着火されてバーナ４の失火が生じたことが検知されたときに、失火対処手段４１による失火エラーの報知と電磁弁１８，１９及びガス比例弁２０の閉弁を禁止して、バーナ４の再点火処理を行なうようにしたが、失火エラーの報知のみを禁止して電磁弁１８，１９及びガス比例弁２０を閉弁し、バーナ４の再点火処理を行なわないようにする場合にも、本発明の効果を得ることができる。この場合、使用者は運転スイッチ２１をＯＮ操作する必要があるが、異常報知はなされないので、使用者を混乱させることはない。
【００５８】
また、本実施の形態では、本発明の燃焼状態検出手段として熱電対１６を用いたが、バーナ４の燃焼炎の状態に応じて通電量が変化するフレームロッドを用いてバーナ４の燃焼状態を検出するようにしてもよい。そして、この場合は、バーナ４の着火処理がなされてフレームロッドの通電量が予め設定された着火検知レベルまで上昇してから、所定時間内に所定レベル低下したとき又は所定の基準変化率よりも大きい変化率で低下したときに、エア噛み状態でバーナ４に点火されてバーナ４の失火が生じたと検知することができる。
【００５９】
このように、フレームロッドを用いた場合、バーナ４の燃焼炎の有無を直接的に検知できるため、熱電対１６や温風温度センサ５０を用いる場合よりも短時間でバーナ４の失火を検知することができる。
【００６０】
なお、フレームロッドを用いる場合も、ガス種設定スイッチ４５（本発明の所定時間変更手段の機能を含む）により設定された燃料ガスの種類に応じて前記所定時間を変更してもよい。
【００６１】
また、図１に示したように、バーナ４が収容されたダクト２（本発明の筐体に相当する）の温度を検出するハイリミットセンサ５１（本発明の筐体温度検出手段に相当する）を備え、バーナ４の燃焼中にハイリミットセンサ５１の検出温度が予め設定された過熱異常温度以上となったときに、図２に示した過熱停止手段５５によりバーナ４の燃焼を停止して温風暖房機を保護するように構成した場合には、該ハイリミットセンサ５１の検出温度からエア噛みによるバーナ４の失火を検知するようにしてもよい。
【００６２】
図７の▲２▼は、エア噛み状態でバーナ４が着火された場合のハイリミットセンサ５１の検出温度の推移を示したグラフであり、縦軸はハイリミットセンサ５１の検出温度、横軸は時間である。エア噛み状態でバーナ４に着火されると（時刻ｔ30）、バーナ４により加熱されてダクト２の温度は上昇するが、ガスホース３１の中間部付近に滞留していた濃度の低い燃料ガスがバーナ４に供給されてバーナ４が失火すると（時刻ｔ31）、ダクト２の温度は下降し始める。
【００６３】
そのため、エア噛み失火検知手段４２は、バーナ４が着火された後のハイリミットセンサ５１の検出温度を監視し、該検出温度が上昇から低下に転じてから（時刻ｔ31）Ｔβ（本発明の所定温度に相当する）低下したとき（時刻ｔ32）に、エア噛み状態でバーナ４に着火されてバーナ４の失火が生じたと判断するようにしてもよい。さらに、ハイリミットセンサ５１の検出温度が上昇から下降に転じてから該検出温度が所定の基準変化率よりも大きい変化率で低下したときに、エア噛み状態でバーナ４に着火されて失火が生じたと判断してもよい。
【００６４】
また、本実施の形態では、本発明のガス燃焼装置として温風暖房機を示したが、ガスストーブ等、ガスコンセントと着脱自在に接続されたガスホースと接続され、該ガスコンセントから供給される燃料ガスを燃焼させる燃焼装置であれば、本発明の適用が可能である。
【図面の簡単な説明】
【図１】本発明のガス燃焼装置である温風暖房機の全体構成図
【図２】図１に示したガス温風暖房機の制御ブロック図
【図３】エア噛み状態に起因してバーナが失火したことを検知する方法を説明するためのグラフ。
【図４】図１に示したガス温風暖房機における再点火処理の実行フローチャート。
【図５】図１に示したガス温風暖房機における再点火処理の実行フローチャート。
【図６】エア噛み状態に起因してバーナが失火したことを検知する方法を説明するためのグラフ。
【図７】エア噛み状態に起因してバーナが失火したことを検知する方法を説明するためのグラフ。
【符号の説明】
４…バーナ、１６…熱電対、１８，１９…電磁弁、２０…ガス比例弁、３０…接続口、３１…ガスホース、３２…ガスコンセント、４１…失火対処手段、４２…エア噛み失火検知手段、４３…再点火手段、５０…温風温度センサ、５１…ハイリミットセンサ、５５…過熱停止手段
【図１】
0003795817.tif 000002
【図２】
0003795817.tif 000003
【図３】
0003795817.tif 000004
【図４】
0003795817.tif 000005
【図５】
0003795817.tif 000006
【図６】
0003795817.tif 000007
【図７】
0003795817.tif 000008